(57)【特許請求の範囲】
【請求項１】
被酸化性有機物を含む廃液の処理方法であって、
前記廃液に、銀又は銀化合物を触媒として添加し、次亜塩素酸塩で処理する第１工程と、
前記第１工程で得られる処理液に、鉄、マンガン、ニッケルから選択された１種又は２種の金属化合物を触媒として添加し、過酸化水素で処理する第２工程と、
前記第２工程で得られる処理液の濾液に、硝酸塩水溶液を添加し、前記濾液中の塩化物イオンを除去する工程とからなることを特徴とする廃液の処理方法。
【請求項２】
前記処理される廃液がハロゲン化銀写真処理廃液であることを特徴とする請求項１に記載の廃液の処理方法。
【請求項３】
前記処理される廃液が重金属化合物を含む廃液であり、かつ前記処理により生じた金属の不溶性酸化物又は水酸化物を除去する工程が備えられることを特徴とする請求項１に記載の廃液の処理方法。
【請求項４】
濾別分離することにより前記第１工程及び第２工程における触媒を回収する工程が備えられることを特徴とする請求項１〜３のいずれかに記載の廃液の処理方法。
【請求項５】
前記回収された触媒を前記第１工程又は第２工程の触媒として用いることを特徴とする請求項４に記載の廃液の処理方法。
【発明の詳細な説明】
【０００１】
【発明の属する技術分野】
本発明は、被酸化性有機物を含む廃液の処理方法、特に、高い化学的酸素消費量（以下ＣＯＤと称す）を有する写真処理廃水などの廃水を処理して、環境汚染要因となる化学物質を除去、改変・分離する処理方法に関する。
【０００２】
【従来の技術】
中小の印刷製版、写真処理、金属加工メッキ、食品加工などの工場から排出される小規模廃液の処理に関しては、種々の方法が提案されている。例えば、ＣＯＤを低減させるためには電解酸化法、塩素、次亜塩素酸塩、オゾンなどによる化学的酸化法、活性炭、無機吸着剤、有機高分子材料による吸着除去法、廃液を加熱蒸発させる蒸発法、廃液を濃厚液と廃棄可能な希薄液に分ける逆浸透法などである。
【０００３】
【発明が解決しようとする課題】
しかしながら、廃水中に多種多様な環境汚染化学物質が含まれている場合には、いずれの方法でも単独では十分に満足な結果が得られない。例えば、電解酸化法では電極汚染、化学的酸化法では被酸化性無機物によるＣＯＤ除去率の低下、吸着除去法では吸着剤の量の増大、蒸発法では悪臭・有害物質の飛散、逆浸透法ではカラムの寿命の低下といった問題がある。このことから、これらの方法を組み合わせた方法も提案されている。例えば、金属を触媒として過酸化水素を用いた化学的酸化法と電気分解を組み合わせた方法が特開平４−７４５９３号から、酸化銅などを触媒とした化学的酸化法と活性炭を用いた吸着除去法を組み合わせた方法が特開昭５３−４１０５５号から、電気分解などで銀を除去した後鉄粉を触媒として過酸化水素を用いた化学的酸化法を行う方法が特開平４−２２４９５号から知られている。異なった方法を組み合わせることは装置の構造や操作を複雑にし、自動化を困難なものにしがちである。さらに、特開平４−４０２９１号には、所定のｐＨ値の条件下で過酸化水素や次亜塩素酸塩などの酸化剤による酸化分解処理を行う第１工程と、さらに異なるｐＨ値の条件下で鉄粉を触媒とした過酸化水素による酸化処理を行う第２工程とからなる廃液処理方法が開示されている。この方法では次亜塩素酸塩を使用した場合有害な有機塩素化合物の発生の対策を講じなければならない。
【０００４】
本発明の目的は、次亜塩素酸塩と過酸化水素を用いた酸化処理工程を組み合わせながらも、装置の構造や操作を複雑とはせず、さらには有害な有機塩素化合物の発生を抑えた廃液の処理方法を提供することである。
【０００５】
【課題を解決するための手段】
上記目的を達成するため、本発明による被酸化性有機物を含む廃液の処理方法は、前記廃液に、銀又は銀化合物を触媒として添加し、次亜塩素酸塩で処理する第１工程と、前記第１工程で得られる処理液に、鉄、マンガン、ニッケルから選択された１種又は２種の金属化合物を触媒として添加し、過酸化水素で処理する第２工程と、前記第２工程で得られる処理液の濾液に、硝酸塩水溶液を添加し、前記濾液中の塩化物イオンを除去する工程とからなる。
【０００６】
この方法では、いずれの工程においても主反応活性種は酸素活性種であって有害物質を発生せず、特に次亜塩素酸塩を用いた酸化処理において触媒として銀を用いたことにより有機塩素化合物の発生が抑えられており、さらには２つの工程が互いに補完的に機能することで廃水中に含まれる被酸化性有機物を効率よく酸化分解できており、ＣＯＤ除去率が高くなっている。
【０００７】
特に、処理対象の廃水が、写真処理工程で排出される現像廃液、定着廃液、漂白廃液又は漂白定着廃液などを含むハロゲン化銀写真感光材料処理廃液である場合、この廃液が高濃度の有機、無機のＣＯＤ寄与成分を含んでいることから、ＣＯＤ除去率が高い上記次亜塩素酸塩と過酸化水素による２段階の酸化分解処理が効果的である。
【０００８】
また、処理対象の廃水が重金属化合物を含む廃液である場合、上記２つの工程により含有金属が不溶性酸化物又は水酸化物となるので、第２工程終了後に、これらの不溶性酸化物又は水酸化物を分離除去する工程を組み込むことは、本発明にさらになる利点をもたらす。
【０００９】
本発明による処理工程において銀化合物が固形物として生成されることに注目することで得られた本発明のさらなる利点は、濾別分離することにより前記第１工程及び第２工程における触媒を回収する工程が組み込まれることであり、これよって回収された触媒を、前述した第１工程又は第２工程における触媒として再利用するならば、第１工程及び第２工程で重要な要素となる触媒のリサイクルが実現し、この廃液処理法がさらに効率的なものとなる。
本発明によるその他の特徴及び利点は、以下の説明により明らかになるだろう。
【００１０】
【実施例】
実施例１
この実施例では、処理される廃水として、次の（Ａ）〜（Ｃ）の３種類のハロゲン化銀写真感光材料処理廃液が用いられた。
写真処理廃液（Ａ）：ノーリツ鋼機（株）ミニラボ用フィルムプロセッサーから排出されたカラーネガ処理廃液を水道水で５倍に希釈したものである。そのＣＯＤ値は２８２０ｍｇ／リットル（２８２０ｐｐｍ）であった。
写真処理廃液（Ｂ）：ノーリツ鋼機（株）ミニラボ用ペーパープロセッサーから排出されたカラーペーパー処理廃液を水道水で５倍に希釈したものである。そのＣＯＤ値は２４８０ｍｇ／リットルであった。
写真処理廃液（Ｃ）：上記ネガ系の写真処理廃液（Ａ）とペーパー系の写真処理廃液（Ｂ）を１：２（Ｖ／Ｖ）で混合した混合液であり、そのＣＯＤ値は２４３０ｍｇ／リットルであった。
【００１１】
写真処理廃液（Ａ）５０ミリリットルを２００ミリリットルのビーカーにとり、１Ｍ硝酸銀水溶液２ミリリットルを加えた。マグネチック・スターラーで撹拌しながら、この混液に１Ｍ次亜塩素酸ナトリウム水溶液を１５ミリリットル滴下した。滴下後、１Ｍ水酸化ナトリウム水溶液を加え、溶液のｐＨを９．５付近に調整し、さらに２〜３時間撹拌した（第１工程終了）。次いで、１Ｍ硫酸鉄（ＩＩ）水溶液２ミリリットル、１Ｍ過酸化水素水溶液を順次滴下し、滴下後１Ｍ水酸化ナトリウム水溶液を加えて溶液のｐＨを再び９．５付近に調整した。２〜３時間撹拌後、撹拌を停止し、析出した固形物を沈降させた。沈降物を濾紙（ワックスマン、Ｎｏ．２）を用いて濾別した（第２工程終了）。
【００１２】
以上の処理によって得られた濾液は無色透明で、Ｆｅ、Ａｇなどの重金属類は含まなかった。しかし、ＮａＣｌなどの水溶性無機塩化物は含まれているので（無機臭化物、ヨウ化物は含まれていない）、この濾液のｐＨを１Ｍ硫酸水溶液を加えて３〜４とした後、硝酸塩水溶液を加えて塩化物イオンをＡｇＣｌとして除去した。このようにして得られた処理液について、ＣＯＤ測定試薬（Ｎａｃｈ社製、Ｎｏ．２１２５８）を用いてＣＯＤ値を測定した。
【００１３】
この実験は次亜塩素酸ナトリウム水溶液と過酸化水素水溶液の添加量を変えて２回行われ、触媒の添加なしで１回行われた。さらに、写真処理廃液（Ｂ）と写真処理廃液（Ｃ）に対しても同様な実験を行った。実験結果は表１に示すとおりである。
【００１４】
【表１】
0003587281.tif 000002
【００１５】
表１の結果から、第１工程で硝酸銀、第２工程で硫酸鉄（ＩＩ）が触媒量存在すると、処理時間が短縮され、しかもＣＯＤ除去率が飛躍的に向上することが分かる。なお、上記の処理によって濾別分離される固形物を鉱酸で洗浄すると銀化合物が回収された。
【００１６】
実施例２
この実施例では、処理される廃水として、繊維加工、食品加工、金属処理加工などの工場廃液に含有される有機物を含む次の（Ａ）〜（Ｅ）の５種類の有機物含有廃液が用いられた。
有機物含有廃液（Ａ）：絹からセリシンを熱湯抽出した水溶液５０ミリリットルである。そのＣＯＤは６３００ｍｇ／リットルであった。
有機物含有廃液（Ｂ）：機械油を水で洗浄して得た洗浄液５０ミリリットルである。そのＣＯＤは３０３０ｍｇ／リットルであった。
有機物含有廃液（Ｃ）：市販可溶性デンプンの飽和水溶液５０ミリリットルである。そのＣＯＤは１１３９０ｍｇ／リットルであった。
有機物含有廃液（Ｄ）：１，１，１−トリクロルエタン−アセトン（１：１Ｖ／Ｖ）１ミリリットルを水１００ミリリットルに分散した溶液であった。そのＣＯＤは１１０００ｍｇ／リットルであった。
有機物含有廃液（Ｅ）：１，１，１−トリクロルエタン−エタノール（２：１Ｖ／Ｖ）１ミリリットルを水１００ミリリットルに分散した溶液である。そのＣＯＤは６５００ｍｇ／リットルであった。
【００１７】
廃液の処理手順は実施例１と同様の方法で行ったが、その際触媒としての銀化合物は、実施例１の処理により回収した銀化合物を希硫酸で洗浄して採取された約１ｇが用いられた。実験結果は表２に示すとおりである。
【００１８】
【表２】
0003587281.tif 000003
【００１９】
表２の結果から理解できるように、満足できるＣＯＤ除去率が達成されており、本発明による廃液処理方法が、タンパク質、炭水化物、脂肪酸（機械油洗浄液に含まれる）、有機塩素化合物などの処理にも有効であることが実証された。また、実施例１で回収された触媒が第１工程及び第２工程の触媒として再利用できることを証した。つまり、本発明による処理方法では、銀などの触媒のリサイクルが可能である。
【００２０】
実施例３
この実施例では、処理される廃水として、食品加工、染色加工、写真処理などの工程で使用される代表的な有機化合物を含む次の（Ａ）〜（Ｃ）の３種類の有機物含有液が用いられた。
有機物含有液（Ａ）：エタノール２ミリリットルを水１００ミリリットルに溶かした溶液である。そのＣＯＤは２６０００ｍｇ／リットルであった。
有機物含有液（Ｂ）：アセトン２ミリリットルを水１００ミリリットルに溶かした溶液である。そのＣＯＤは３４８００ｍｇ／リットルであった。
有機物含有液（Ｃ）：ベンジルアルコール２ミリリットルを水１００ミリリットルに分散した溶液である。そのＣＯＤは４６０００ｍｇ／リットルであった。
【００２１】
処理手順は実施例１と同様の方法で、各有機物含有液に対して処理剤や触媒の添加量を変えて２度行われ、その際第１工程の触媒として用いられた銀化合物で添加量の記載がないものは、実施例２と同様、実施例１で回収した銀化合物を希硫酸で洗浄して採取された約１ｇ銀化合物であり、第２工程の触媒として用いられた二酸化マンガンは、市販品（約１．２ｇ）をそのまま使用した。実験結果は表３に示すとおりである。
【００２２】
【表３】
0003587281.tif 000004
【００２３】
表３の結果から、本発明の廃液処理方法によれば、芳香環を含む化合物、その他多様な有機化合物が効率よく酸化分解されることが実証された。なお、質量分析計による分析により、処理液には有機塩素化合物が検出されなかったことも判明した。また、二酸化マンガン粉末が第２工程の有効な触媒になることも明らかになった。
【００２４】
上述した３つの実施例の説明から明らかなように、本発明による廃液の処理方法は、従来の方法に比べて、操作が簡単で、ＣＯＤ除去率が高く、しかも適用分野が広く、かつ経済性にも優れた被酸化性有機物含有廃水の処理方法であることが証明された。なお、第１工程や第２工程を終えた処理水は、ｐＨを６．５〜７．５に調整後、下水に放流することができる。